(57)【要約】【課題】金型内に導入部材、フィルター、及び供給部材をセットし、溶融させた樹脂材料を金型内に流入させて固化させることにより各パーツを一体化する構成において、樹脂材料を円滑に流動させてより確実に一体化させることが可能な液体吐出ヘッドを提供する。【解決手段】供給ユニット１５の入口開口周縁部４９は位置決めピン５０を突出し、インク導入針１９の出口開口周縁部５４は位置決めピンが挿入されるピン挿入空部５５を有し、フィルターの周縁部５６に、位置決めピンが挿通される挿通口５７が開設され、位置決めピンが挿通口に挿通されると共にピン挿入空部に挿入され、出口開口周縁部と入口開口周縁部とによりフィルターの周縁部が挟持された状態で、インク導入針と供給ユニットとが樹脂材料により一体化された。【選択図】図６
2011016233.tif 000002
【特許請求の範囲】
【請求項１】
液体供給源からの液体を液体流路内に導入し、当該液体をノズルから吐出する液体吐出ヘッドであって、
前記液体供給源内の液体を導入する液体導入路が内部に形成された導入部材と、
前記導入部材が取り付けられた状態で前記液体導入路と連通して当該液体導入路からの液体を前記液体流路側に供給する液体供給路が内部に形成された供給部材と、
前記導入部材と前記供給部材との間に配置され、前記液体導入路側から液体供給路側に流れる液体を濾過するフィルターと、
を備え、
前記導入部材の出口開口周縁部または前記供給部材の入口開口周縁部のうちの一方は、位置決めピンを突出し、
前記導入部材の出口開口周縁部または前記供給部材の入口開口周縁部のうちの他方は、前記位置決めピンが挿入されるピン挿入空部を有し、
前記フィルターの周縁部に、前記位置決めピンが挿通される挿通口が開設され、
前記位置決めピンが前記挿通口に挿通されると共に前記ピン挿入空部に挿入され、前記導入部材の出口開口周縁部と前記供給部材の入口開口周縁部とにより前記フィルターの周縁部が挟持された状態で、前記導入部材と前記供給部材とが樹脂材料により一体化されたことを特徴とする液体吐出ヘッド。
【請求項２】
前記ピン挿入空部は、前記供給部材に前記導入部材が取り付けられ状態で外部空間と連通し、
前記供給部材と前記導入部材との一体時に樹脂材料が流入されるように構成されたことを特徴とする請求項１に記載の液体吐出ヘッド。
【発明の詳細な説明】
【技術分野】
【０００１】
本発明は、インクジェット式プリンター等の液体吐出装置に用いられる液体吐出ヘッドに関するものであり、特に、液体供給源からの液体を導入する導入部材と、導入部材から導入された液体を濾過するフィルターと、これらの導入部材及びフィルターが取り付けられる供給部材と、を備えた液体吐出ヘッドに関するものである。
【背景技術】
【０００２】
例えば、液体吐出ヘッドの一種であるインクジェット式記録ヘッド（以下、単に記録ヘッドと言う。）では、液体状のインクを封入したインクカートリッジ等の液体供給源に、導入部材の一種であるインク導入針を挿入することで、このインク導入針の先端部分に開設された導入孔を通じて液体供給源内のインクを記録ヘッド内部に導入している。また、近年では、プリンター本体側に配置したインクカートリッジと記録ヘッドのインク導入針に装着したサブタンク（液体供給源の一種）とをインクチューブで連結し、ポンプを作動してインクカートリッジ内に空気を送り込むことにより、インクカートリッジに貯留されたインクを、インクチューブを通じて記録ヘッド側に圧送する構成のものも提案されている。
【０００３】
上記の記録ヘッドは、上記インク導入針の他、複数の部品を組み付けることで作製されている。例えば、上記インク導入針から導入された液体を圧力室側に供給する供給流路を備える供給ユニット（供給部材）、リザーバーから圧力室を通ってノズルに至るまでのインク流路（液体流路）を形成する流路ユニット、圧力発生手段としての圧電振動子を備えるアクチュエータユニット、流路ユニット及びアクチュエータユニットが取り付けられるヘッドケース等によって構成されている。そして、この種の記録ヘッドでは、インク導入針から記録ヘッド内に導入されたインクを濾過するフィルターが、インク導入針と供給ユニットとの間に取り付けられている（例えば、特許文献１参照）。このフィルターは、インクに混入した気泡や異物等を濾別して、これらの気泡等が圧力室側に流入することを抑制する機能を有する。なお、特許文献１に開示されている記録ヘッドでは、フィルターは供給ユニットに対して熱溶着により固定され、インク導入針と供給ユニットとは超音波溶着により固定されている。
【０００４】
ところが、インク導入針と供給ユニットとを超音波溶着により固定する構成の場合、超音波溶着時に細かい樹脂の破片等の異物が生じることがあった。そして、このような異物が記録ヘッドのインク流路やノズル近傍に付着する等して、インクの吐出の妨げになる虞があった。
【先行技術文献】
【特許文献】
【０００５】
【特許文献１】特開２０００−２１１１３０号公報
【発明の概要】
【発明が解決しようとする課題】
【０００６】
上記のような問題に対し、型枠（金型）内にインク導入針、フィルター、及び供給ユニットをセットし、この状態で、予め溶融された樹脂材料を型枠内に流し込んでこれを固化させることにより、各パーツを一体化する方法も提案されている。この方法によれば、上記のような異物の発生を防止することができる。
【０００７】
上記構成では、例えば、供給ユニットにおいて、インク導入針の設置範囲の外側に位置決めピンが設けられ、フィルターにはインク導入針と供給ユニットにより挟持される範囲よりも外側に突出した部分が設けられ、この突出部分に位置決めピンが挿通される挿通口が開設され、位置決めピンをフィルターの挿通口に挿通することにより、フィルターの位置決めが行われていた。
【０００８】
ところが、インク導入針と供給ユニットとを上記の樹脂材料によって一体化する場合、樹脂材料が流動する位置に位置決めピンやフィルターの突出部分が存在すると、これらの部位が樹脂材料の流動を妨げる虞があった。樹脂材料の流動が妨げられると、樹脂材料の充填不足が生じる可能性があり、インク導入針と供給ユニットとを確実に一体化することができない虞がある。
【０００９】
本発明は、このような事情に鑑みてなされたものであり、その目的は、金型内に導入部材、フィルター、及び供給部材をセットし、溶融させた樹脂材料を金型内に流入させて固化させることにより各パーツを一体化する構成において、樹脂材料を円滑に流動させてより確実に一体化させることが可能な液体吐出ヘッドを提供することにある。
【課題を解決するための手段】
【００１０】
本発明は、上記目的を達成するために提案されたものであり、液体供給源からの液体を液体流路内に導入し、当該液体をノズルから吐出する液体吐出ヘッドであって、
前記液体供給源内の液体を導入する液体導入路が内部に形成された導入部材と、
前記導入部材が取り付けられた状態で前記液体導入路と連通して当該液体導入路からの液体を前記液体流路側に供給する液体供給路が内部に形成された供給部材と、
前記導入部材と前記供給部材との間に配置され、前記液体導入路側から液体供給路側に流れる液体を濾過するフィルターと、
を備え、
前記導入部材の出口開口周縁部または前記供給部材の入口開口周縁部のうちの一方は、位置決めピンを突出し、
前記導入部材の出口開口周縁部または前記供給部材の入口開口周縁部のうちの他方は、前記位置決めピンが挿入されるピン挿入空部を有し、
前記フィルターの周縁部に、前記位置決めピンが挿通される挿通口が開設され、
前記位置決めピンが前記挿通口に挿通されると共に前記ピン挿入空部に挿入され、前記導入部材の出口開口周縁部と前記供給部材の入口開口周縁部とにより前記フィルターの周縁部が挟持された状態で、前記導入部材と前記供給部材とが樹脂材料により一体化されたことを特徴とする。
【００１１】
この構成によれば、位置決めピン及びフィルターが、導入部材と供給部材とが重なる領域内に収められ、導入部材及び供給部材を樹脂材料によって一体化する工程において樹脂材料が流動する位置にフィルター及び位置決めピンが無いので、これらのフィルターや位置決めピンが樹脂材料の流動を妨げることが無い。このため、樹脂材料が円滑に充填され、樹脂材料の充填不足が防止される。その結果、導入部材と供給部材とをより確実に一体化することができる。
また、位置決めピン及びフィルターが導入部材と供給部材とが重なる領域内に収められることから、供給部材上で１つの導入部材の設置に必要な面積を抑えることができ、その分、導入部材同士の配置間隔を狭めることができる。これにより、液体吐出ヘッド全体の小型化に寄与することができる。
【００１２】
また、上記構成において、前記ピン挿入空部は、前記供給部材に前記導入部材が取り付けられ状態で外部空間と連通し、前記供給部材と前記導入部材との一体時に樹脂材料が流入される構成を採用することが望ましい。
【００１３】
この構成によれば、導入部材及び供給部材を樹脂材料によって一体化する際に、ピン挿入空部内にも樹脂材料が充填されるため、ピン挿入空部内に空気が残らない。これにより、気泡の発生が抑制される。即ち、ピン挿入空部内に空気が残る構成の場合、この空気が気泡として流路内に侵入する虞があり、この気泡が原因でノズルから液体が吐出されない等の不具合が生じる可能性がある。しかしながら、本構成によれば、このような不具合を回避することができる。
【図面の簡単な説明】
【００１４】
【図１】プリンターの構成を説明する斜視図である。
【図２】記録ヘッドを斜め上方から観た分解斜視図である。
【図３】ヘッドユニットを斜め上方から観た分解斜視図である。
【図４】ヘッドユニットの要部断面図である。
【図５】供給ユニットの平面図である。
【図６】図５におけるＡ−Ａ′線断面図である。
【図７】供給ユニットの拡大平面図である。
【図８】インク導入針の基端面側の平面図である。
【図９】フィルターの平面図である。
【図１０】供給ユニットに金型をセットした状態を説明する図である。
【図１１】第２実施形態の構成を説明する要部断面図である。
【図１２】第２実施形態の構成を説明する平面図である。
【発明を実施するための形態】
【００１５】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下の説明は、本発明の液体吐出ヘッドとして、インクジェット式プリンター（液体吐出装置の一種）に搭載されるインクジェット式記録ヘッド（以下、単に記録ヘッドという）を例に挙げて行う。
【００１６】
図１に示すように、このプリンター１は、記録ヘッド２が取り付けられると共にインクカートリッジ３（液体供給源の一種）が着脱可能に取り付けられるキャリッジ４と、記録ヘッド２の下方に配設されたプラテン５と、キャリッジ４を記録紙の紙幅方向に移動させるキャリッジ移動機構６と、記録紙８を紙送り方向に移動させる紙送り機構７とを備えている。
【００１７】
上記のキャリッジ移動機構６（ヘッド移動手段）は、キャリッジ移動モーター１０を駆動源とし、プリンター１における主走査方向（紙幅方向）に架設されたガイド軸９に沿って、キャリッジ４を主走査方向に往復移動させるように構成されている。上記の紙送り機構７は、駆動源としての紙送りモーター１１と、この紙送りモーター１１によって回転駆動される上下一対の紙送りローラー１２（下のローラーのみを図示）とから構成される。そして、上下のローラーによって記録紙８を挟み付け、この状態でローラーを回転することで記録紙８を搬送する。
【００１８】
図２は、本実施形態における記録ヘッド２の構成を説明する斜視図である。
本実施形態における記録ヘッド２は、インクカートリッジ３が装着される供給ユニット１５と、複数のヘッドユニット１６と、ヘッドカバー１７とにより概略構成されている。
【００１９】
上記供給ユニット１５は、内部に供給流路４７（本発明における液体供給路の一種。図６等参照。）が形成された合成樹脂製の部材であり、本発明における供給部材の一種である。この供給ユニット１５の一方の面側のベース部１８には、複数のインク導入針１９が取り付けられている。このインク導入針１９は、本発明における導入部材の一種である。本実施形態においては各種のインク色に対応させて合計１０本のインク導入針１９が、主走査方向に５本ずつ列設されて副走査方向に２段となるようにベース部１８上に配設されている。このインク導入針１９は、インクカートリッジ内部のインクを、導入孔５１から導入流路５２および供給ユニット１５内の供給流路４７を通じてヘッドユニット１６のインク流路側に導入するように構成されている。これらの供給ユニット１５及びインク導入針１９の詳細については後述する。
【００２０】
供給ユニット１５の他方の面側である底面には、本実施形態において合計５つのヘッドユニット１６が、主走査方向に横並びに位置決めされた状態で固定される。また、各ヘッドユニット１６に夫々対応した５つのカバー開口部２０を有する金属製のヘッドカバー１７が、各ヘッドユニット１６の周縁部を包囲する状態で供給ユニット１５に取り付けられる。このヘッドカバー１７は、各ヘッドユニット１６を保護する機能の他、各ヘッドユニット１６のノズル形成基板２３（図３参照）と導通することで記録紙等から発生する静電気による障害を防止する機能を奏する。そして、ヘッドカバー１７の各開口部２０からは、各ヘッドユニット１６のノズル形成基板２３に開設されたノズル３２（図３参照）が露出するようになっている。
【００２１】
図３は、本実施形態におけるヘッドユニット１６の構成を示す分解斜視図であり、図４は、ヘッドユニット１６の断面図である。なお、便宜上、ヘッドユニット１６を構成する各部材（ヘッドユニット構成部材）の積層方向を上下方向として説明する。このヘッドユニット１６は、ノズル形成基板２３、圧力室形成基板２４、リザーバー形成基板２５、及び、コンプライアンス基板２６からなるキャビティユニット２７と、圧電振動子２８（圧力発生手段の一種）と、駆動ＩＣ２９とを積層した状態でユニットケース３０に取り付けて概略構成されている。
【００２２】
上記ノズル形成基板２３は、ドット形成密度に対応したピッチで複数のノズル３２を列状に開設したステンレス鋼製のプレートである。本実施形態におけるノズル形成基板２３には、例えば１８０ｄｐｉのピッチで１８０個のノズル３２を列設することで２条のノズル列が構成されている。圧力室形成基板２４は、本実施形態においてはシリコン単結晶基板（シリコンウェハー）によって作製され、その表面から異方性エッチングすることによって複数の隔壁で区画された圧力室３３が各ノズル３２に対応して複数形成されている。また、この圧力室形成基板２４には、各圧力室３３の共通のインク室としてのリザーバー３４の一部を区画する連通空部３５が形成されている。この連通空部３５は、供給口３６を介して各圧力室３３と連通している。
【００２３】
圧力室形成基板２４の上面（ノズル形成基板２３側とは反対側の面）には、予め熱酸化により形成した二酸化シリコンからなる弾性膜３７（図３参照）が形成されており、この弾性膜３７上に下電極膜と、チタン酸ジルコン酸鉛（ＰＺＴ）等からなる圧電体層と、上電極膜と（何れも図示せず）を順次積層することで形成された圧電振動子２８が圧力室３３毎に形成されている。この圧電振動子２８は、所謂撓みモードの圧電振動子であり、圧力室３３の上部を覆い隠すように配置されている。そして、この圧電振動子２８は、充電により中心部が圧力室３３から遠ざかるように撓んで圧力室３３を収縮させ、放電により中心部が圧力室３３に近づくように撓んで圧力室３３を膨張させる。この圧電振動子２８の電位レベルを変えることで、対応する圧力室３３の容積が変化し、圧力室３３が加圧されたり減圧されたりする。つまり、圧力室内のインクに圧力変動が生じる。この圧力を、圧電振動子２８に印加する駆動信号によって制御することで、ノズル３２からインク滴を吐出させたり、或いは、ノズル３２に露出したメニスカスを微振動させたりすることができる。
【００２４】
また、圧力室形成基板２４上には、基板厚さ方向に貫通したリザーバー部３８を有するリザーバー形成基板２５が配置される。このリザーバー形成基板２５は、圧力室形成基板２４と同様にシリコン単結晶基板を用いて作製されている。また、このリザーバー形成基板２５におけるリザーバー部３８は、圧力室形成基板２４の連通空部３５と連通してリザーバー３４を区画するようになっている。このリザーバー３４から供給口３６及び圧力室３３を通りノズル３２に至るまでのインク流路は、本発明における液体流路に相当する。また、本実施形態におけるノズル形成基板２３、リザーバー形成基板２５、及び圧力室形成基板２４は、流路形成基板を構成している。
【００２５】
リザーバー形成基板２５の上面（圧力室形成基板２４とは反対側の面）には、プリンター本体側からの駆動信号を受け、この駆動信号によって各圧電振動子２８を駆動するための駆動ＩＣ２９が設けられている。この駆動ＩＣ２９の各端子は、図示しないボンディングワイヤ等を介して各圧電振動子２８の個別電極からの引き出し配線と接続されている。そして、駆動ＩＣ２９の各端子は、ＴＣＰ（テープキャリアパッケージ）等の配線部材３９を介してプリンター本体側のプリンターコントローラと電気的に接続され、この配線部材３９を介してプリンターコントローラ側から駆動信号等の各種信号が供給されるようになっている。
【００２６】
また、リザーバー形成基板２５の上面側には、コンプライアンス基板２６が配置される。このコンプライアンス基板２６は、例えばステンレス鋼等の金属製の支持板２６ａの表面にＰＰＳ（ポリフェニレンサルファイド）樹脂フィルムを弾性薄膜部２６ｂとしてラミネートした複合板材によって構成されている。このコンプライアンス基板２６には、リザーバー３４の開口面を封止するコンプライアンス部２６ｃが設けられている。このコンプライアンス部２６ｃは、リザーバー３４の開口面に対向する領域の支持板２６ａを例えばエッチング加工等によって除去することにより、弾性薄膜部２６ｂのみとしている。そして、このコンプライアンス部２６ｃは、圧電振動子２８の駆動時のリザーバー３４内のインクの圧力変動を吸収するダンパーとして機能する。
【００２７】
ユニットケース３０は、高さ方向を貫通したケース流路４１が内部に形成されると共に、その底面においてコンプライアンス部２６ｃに対向する領域に凹部４２が形成された部材である。上記ケース流路４１は、供給ユニット１５の供給流路に連通してインク導入針１９側からのインクをリザーバー３４側に供給するための流路である。また、凹部４２は、コンプライアンス部２６ｃの変形を許容する空間を形成するために設けられている。上記ユニットケース３０の中心部、具体的には、リザーバー形成基板２５上に設けられた駆動ＩＣ２９に対向する領域には、高さ方向に貫通した空部４３が開設されており、配線部材３９がこの空部４３を挿通して駆動ＩＣ２９と接続されるようになっている。
【００２８】
以上のように構成された各ヘッドユニット１６では、インク導入針１９から導入されたインクが、導入流路、供給ユニット１５の供給流路、及び、ユニットケース３０のケース流路４１を通じてリザーバー３４に取り込まれ、リザーバー３４からノズル３２に至るインク流路がインクで満たされる。この状態で、駆動ＩＣ２９からの駆動信号が圧電振動子２８に供給されてこの圧電振動子２８が撓み変形されることで、当該圧電振動子２８に対応する圧力室３３内のインクに圧力変動が生じる。そして、このインクの圧力変動によってノズル３２からインク滴が吐出される。
【００２９】
次に、上記の供給ユニット１５の詳細について説明する。
図５は、供給ユニット１５の平面図であり、図６は、図５におけるＡ−Ａ′線断面図である。また、図７は、供給ユニット１５におけるベース部１８の一部を拡大して示した平面図である。なお、図７は、インク導入針１９が取り付けられていない状態の供給ユニット１５を図示している。
【００３０】
供給ユニット１５のベース部１８には、複数のインク導入針１９がフィルター４５を間に介在させた状態でそれぞれ配設されている。そして、供給ユニット１５とインク導入針１９とは、合成樹脂からなる固定部４６によって一体化されている。この供給ユニット１５の内部には、一端が入口開口４８としてベース部１８に開口すると共に他端が底面に開口した供給流路４７が形成されている。この供給流路４７は、インク導入針１９毎に対応して独立して形成され、フィルター４５を介してインク導入針１９の導入流路５２と連通するようになっている。入口開口４８は、開口端に向けて開口径が次第に広くなる漏斗状に形成されている。この供給流路４７の入口開口４８の周縁部、即ち、入口開口周縁部４９は、ベース部１８の他の部分よりも隆起して土手状になっている。そして、この入口開口周縁部４９の端面から、取り付け状態のインク導入針１９側に向けて位置決めピン５０が突設されている。本実施形態においては、１つの入口開口周縁部４９に合計４つの位置決めピン５０が互いに間隔を空けて形成されている。なお、入口開口周縁部４９は、フィルター４５が当接配置されるフィルター配置部としても機能する。また、入口開口周縁部４９は必ずしもベース部１８から隆起していなくても良い。
【００３１】
インク導入針１９は、インクカートリッジ３の内部に挿入される中空針状の部材であり、合成樹脂から形成されている。このインク導入針１９の内部には、導入流路５２（液体導入路の一種）が形成されている。この導入流路５２の一端は、インク導入針１９の先端部に開設された導入孔５１を通じてインク導入針の外部空間と連通している。また、導入流路５２の他端は、インク導入針１９の先端部とは反対側の基端面に出口開口５３として開口している。インク導入針１９の基端部は、基端面側に向かって次第に拡径した形状になっている。これに応じて導入流路５２の他端部も出口開口５３に向けて次第に拡径している。出口開口５３の開口径は、供給ユニット１５の入口開口４８の開口径と同程度に揃えられている。
【００３２】
図８に示すように、インク導入針１９の基端面における出口開口５３の周縁部、即ち、出口開口周縁部５４において、供給ユニット１５の入口開口周縁部４９における各位置決めピン５０に対応する位置には、基端面から先端部側に向けて窪んだピン挿入空部５５がそれぞれ形成されている。本実施形態において、供給ユニット１５の４つの位置決めピン５０に対応して合計４つのピン挿入空部５５が出口開口周縁部５４における基端部の肉厚内に設けられている。このピン挿入空部５５は、インク導入針１９が供給ユニット１５に取り付けられる際に位置決めピン５０が挿入される空部であり、当該位置決めピン５０よりも一回り大きい円筒形状の空部に形成されている。なお、ピン挿入空部５５に関し、円筒形状に限られず、位置決めピン５０が収容可能であれば、任意の形状を採用することができる。
【００３３】
なお、本実施形態では、位置決めピン５０が供給ユニット１５の入口開口周縁部４９に形成され、４つのピン挿入空部５５がインク導入針１９の出口開口周縁部５４に設けられた構成を例示したが、これには限らない。例えば、位置決めピン５０がインク導入針１９の出口開口周縁部５４に設けられ、ピン挿入空部５５が供給ユニット１５の入口開口周縁部４９に形成される構成を採用することも可能である。
また、位置決めピン５０の数、及び、ピン挿入空部５５の数については、本実施形態のように４つには限られない。位置決めピン５０の数、及び、ピン挿入空部５５の数をより多くするほど、フィルター４５の位置ずれや撓みを抑制することができる。特に、合成樹脂製の供給ユニット１５の膨張・収縮に起因するフィルター４５の撓みを抑制することができる。
【００３４】
図９は、インク導入針１９と供給ユニット１５との間に配設されるフィルター４５の平面図である。このフィルター４５は、例えばステンレス鋼などの金属が細かく綾畳織されたシート状の部材である。このフィルター４５は、インク導入針１９の基端面と同程度の大きさ（厳密に同一に限らず多少の誤差は許容される）の円形又は楕円形に成型されている。そして、このフィルター４５の周縁部において、供給ユニット１５の位置決めピン５０に対応する位置に、当該位置決めピン５０が挿通される挿通口５７が開設されている。本実施形態においては、４本の位置決めピン５０に対応して合計４つの挿通口５７がフィルター周縁部５６に設けられている。なお、挿通口５７に関し、図９（ａ）に示すように、フィルター４５の外周よりも少し中央側に位置する円形の独立した穴で構成されても良いし、図９（ｂ）に示すように、フィルター４５の外周から中央側に向けてＵ字状に切り欠かれた切欠により構成されても良い。
【００３５】
そして、上記のフィルター４５が、各挿通口５７にそれぞれ対応する位置決めピン５０が挿通されて供給ユニット１５の入口開口周縁部４９に配置されると、供給流路４７の入口開口４８に対してフィルター４５が位置決めされる。なお、この状態でフィルター４５を入口開口周縁部４９に熱溶着しても良い。ここで、位置決めピン５０の全長は、フィルター４５の厚さよりも十分に長く設計されている。このため、フィルター４５が入口開口周縁部４９に配置された状態では、図６に示すように、位置決めピン５０が挿通口５７から突出する。さらに、各位置決めピン５０がインク導入針１９のピン挿入空部５５にそれぞれ挿入された状態で、出口開口周縁部５４と入口開口周縁部４９とが重ね合わされて、インク導入針１９が供給ユニット１５のベース部１８に配置される。これにより、フィルター４５がインク導入針１９の出口開口周縁部５４と供給ユニット１５の入口開口周縁部４９とによって挟み付けられる。この際、各位置決めピン５０がピン挿入空部５５にそれぞれ挿入されることにより、供給ユニット１５の入口開口４８に対してインク導入針１９の出口開口５３が位置決めされ、導入流路５２と供給流路４７とがフィルター４５を介して連通する。
【００３６】
次に、インク導入針１９と供給ユニット１５とを一体化する工程について説明する。
インク導入針１９と供給ユニット１５との一体化には、図１０に示すように、金型６０が用いられる。この金型６０は、ベース面６０ａと、当該ベース面６０ａの四辺からそれぞれ起立した側壁６０ｂとから成るトレイ形状の部材である。金型６０のベース面６０ａには、インク導入針１９が途中まで挿通される挿通穴６２が、供給ユニット１５に配設される各インク導入針１９に対応して合計１０箇所開設されている。また、ベース面６０ａにおいて挿通穴６２とは異なる位置には、樹脂材料の注入口であるゲート６３が開設されている。このゲート６３は、供給ユニット１５のベース部１８の中央部分に対応する位置に設けられていることが望ましい。また、ゲート６３がベース面６０ａにおいて複数箇所に設けられる構成であっても良い。
【００３７】
一体化工程では、まず、金型６０の開放面側（ベース面６０ａとは反対側の面）が供給ユニット１５のベース部１８に向けられた姿勢で、当該ベース部１８に配置された各インク導入針１９の先端部分がそれぞれ対応する挿通穴６２に挿通された状態で、金型６０がベース部１８にセットされる。このセット状態では、金型６０の各側壁６０ｂの先端面がベース部１８に当接することにより、ベース部１８と金型６０のベース面６０ａとの間には空間が形成される。この空間は、樹脂材料が流入される流入空間６１である。また、この状態では、流入空間６１内にはインク導入針１９の基端部が収容される一方で、インク導入針１９の先端部は、挿通穴６２から外部に露出する。
【００３８】
そして、上記のセット状態で、予め溶融された樹脂材料が、金型６０のゲート６３から流入空間６１内に注入される。この樹脂材料は、流入空間６１の全体に満たされる。ここで、フィルター４５や位置決めピン５０は、何れもインク導入針１９と供給ユニット１５との間に収められて、インク導入針１９及び供給ユニット１５よりも外側（流入空間６１側）に露出しない構成であるため、即ち、樹脂材料が流動する位置にフィルター４５及び位置決めピン５０が無いため、これらのフィルター４５や位置決めピン５０が、インク導入針１９と供給ユニット１５の一体化工程において樹脂材料の流動を妨げる虞が無い。このため、樹脂材料が流入空間６１内に円滑に充填される。その結果、樹脂材料の充填不足を防止することが可能となり、インク導入針１９と供給ユニット１５とをより確実に一体化することができる。
【００３９】
また、フィルター４５や位置決めピン５０がインク導入針１９及び供給ユニット１５よりも外側に露出しない構成であることから、供給ユニット１５のベース部１８上で１つのインク導入針１９の設置に必要な面積が抑えられ、その分、インク導入針同士の配置間隔を狭めることができる。これにより、記録ヘッド全体の小型化に寄与することができる。なお、フィルター４５の周縁部の一部が、インク導入針１９の出口開口周縁部５４と供給ユニット１５の入口開口周縁部４９との間から僅かにはみ出していても、一体化工程において樹脂の流動を妨げない程度であれば許容される。
【００４０】
このようにして、ベース部１８にセットされた金型６０の流入空間６１に樹脂材料が充填された後、充填された樹脂材料が固化される。これにより、図６に示すように、固化した樹脂材料が固定部４６となり、インク導入針１９と供給ユニット１５とが一体化される。
【００４１】
ところで、本発明は、上記実施形態に限定されるものではなく、特許請求の範囲の記載に基づいて種々の変形が可能である。
【００４２】
図１１及び図１２は、本発明の第２実施形態の構成を説明する図であり、図１１は供給ユニット１５及びインク導入針１９の要部断面図、図１２は供給ユニット１５に取り付けられたインク導入針１９の拡大平面図である。なお、図１２は、インク導入針１９と供給ユニット５とが固定部４６によって一体化される前の状態を示している。上記第１実施形態では、位置決めピン５０が、インク導入針１９のピン挿入空部５５内に挿入されて、インク導入針１９の外側には露出しない構成を示したが、この第２実施形態では、位置決めピン５０がインク導入針１９の外部に露出している点が上記第１実施形態と異なる。なお、その他の構成については第１実施形態と同様であるため、説明を省略する。
【００４３】
上記第１実施形態におけるピン挿入空部５５がインク導入針１９の肉厚内に形成されて外部空間から独立しているのに対し、第２実施形態におけるインク導入針１９のピン挿入空部５５′は、インク導入針１９の外側面から導入流路５２側に向けてインク導入針１９の肉厚方向の途中まで切り欠かれて形成されている点が異なっている。そして、供給ユニット１５側の各位置決めピン５０をそれぞれピン挿入空部５５′に挿入してインク導入針１９を供給ユニット１５のベース部１８に取り付けた状態では、ピン挿入空部５５′が外部空間と連通するので、位置決めピン５０がインク導入針１９の外部に露出する。この位置決めピン５０は、図１２に示すように平面で見た場合、インク導入針１９の設置範囲内に配置されるので、上記第１実施形態と同様に、インク導入針１９と供給ユニット１５の一体化工程において樹脂材料の流動を妨げることが無い。また、上記第１実施形態におけるピン挿入空部５５の場合、インク導入針１９と供給ユニット１５の一体化工程では当該ピン挿入空部５５内に樹脂材料は充填されずに空気が残るが、本実施形態では、一体化工程においてピン挿入空部５５′内にも樹脂材料が充填されるため、ピン挿入空部５５′内に空気が残らない。これにより、インク流路内での気泡の発生が抑制される。即ち、ピン挿入空部内に空気が残る構成の場合、この空気が気泡としてインク流路内に侵入する虞があり、この気泡が原因でノズルからインクが吐出されない等の不具合が生じる可能性がある。つまり、インクを吐出するときの圧力変動を気泡が吸収したり、或いは、気泡がインク流路やノズルを塞ぐことにより、ノズルからインクが吐出されなかったり、吐出されたとしてもインク重量が減少したりする虞がある。しかしながら、本構成によれば、このような不具合を回避することができる。
【００４４】
なお、ピン挿入空部に関し、本実施形態のように切欠により構成するのには限られず、上記第１実施形態で例示したピン挿入空部５５がインク導入針１９の肉厚方向又は位置決めピンの長さ方向に貫通するような構成を採用することもできる。この構成においても、一体化工程においてピン挿入空部内にも樹脂材料が充填されるので、本実施形態の構成と同様な作用効果を奏する。要は、インク導入針１９に供給ユニット１５が取り付けられ状態で、ピン挿入空部が外部空間と連通していればよい。
【００４５】
以上では、液体吐出ヘッドの一種であるインクジェット式記録ヘッド２を例に挙げて説明したが、本発明は、導入部材、供給部材、及びフィルターを有するものであれば、他の液体吐出ヘッドにも適用することができる。例えば、液晶ディスプレー等のカラーフィルターの製造に用いられる色材噴射ヘッド、有機ＥＬ（Electro Luminescence）ディスプレー、ＦＥＤ（面発光ディスプレー）等の電極形成に用いられる電極材噴射ヘッド、バイオチップ（生物化学素子）の製造に用いられる生体有機物噴射ヘッド等にも本発明を適用することができる。
【符号の説明】
【００４６】
１…プリンター，２…記録ヘッド，１５…供給ユニット，１６…ヘッドユニット，１８…ベース部，１９…インク導入針，４５…フィルター，４６…固定部，４７…供給流路，４８…入口開口，４９…入口開口周縁部，５０…位置決めピン，５１…導入孔，５２…導入流路，５３…出口開口，５４…出口開口周縁部，５５…ピン挿入空部，５６…フィルター周縁部，５７…挿通口，６０…金型，６１…流入空間，６２…挿通穴
【図１】
2011016233.tif 000003
【図２】
2011016233.tif 000004
【図３】
2011016233.tif 000005
【図４】
2011016233.tif 000006
【図５】
2011016233.tif 000007
【図６】
2011016233.tif 000008
【図７】
2011016233.tif 000009
【図８】
2011016233.tif 000010
【図９】
2011016233.tif 000011
【図１０】
2011016233.tif 000012
【図１１】
2011016233.tif 000013
【図１２】
2011016233.tif 000014